(57)【特許請求の範囲】
【請求項１】
有底円筒状に形成されたポンプケーシングと、
前記ポンプケーシングの底部に一体に設けられたライナ部と、
前記ポンプケーシングに挿入され、端面が前記ライナ部の上端と当接するカバー部及び前記カバー部の上端部に設けられ、前記ポンプケーシングに固定されるフランジ部を有する、前記ポンプケーシング及び前記ライナ部を覆うケーシングカバーと、
前記ポンプケーシングの内周面と前記カバー部の外周面との間に設けられたシール部材と、
前記ライナ部及び前記カバー部内に収納されるインペラと、
を備え、
前記カバー部の前記端面から前記フランジ部の前記ポンプケーシングと対向する端面までの長さが、前記ポンプケーシングの前記フランジ部が固定される端面から前記ライナ部の端面までの長さよりも長い、ことを特徴とする渦流ポンプ。
【請求項２】
前記ライナ部及び前記カバー部は、互いに当接することで構成される吸込口、前記吸込口に隣接して設けられた吐出口、前記吸込口及び前記吐出口の間に設けられた隔壁、並びに、前記吸込口から前記吐出口まで前記インペラの回転方向に形成された環状流路を備えることを特徴とする請求項１に記載の渦流ポンプ。
【請求項３】
有底円筒状に形成されたポンプケーシングと、
前記ポンプケーシング内に設けられたケーシングライナと、
前記ポンプケーシングに挿入され、端面が前記ケーシングライナの上端と当接するカバー部及び前記カバー部の上端部に設けられ、前記ポンプケーシングに固定されるフランジ部を有する、前記ポンプケーシング及び前記ケーシングライナを覆うケーシングカバーと、
前記ポンプケーシングの内周面と前記カバー部の外周面との間に設けられたシール部材と、
前記ケーシングライナ及び前記カバー部内に収納されるインペラと、
を備え、
前記カバー部の前記端面から前記フランジ部の前記ポンプケーシングと対向する端面までの長さが、前記ポンプケーシングの前記フランジ部が固定される端面から前記ケーシングライナの端面までの長さよりも長い、ことを特徴とする渦流ポンプ。
【請求項４】
前記ケーシングライナ及び前記カバー部は、互いに当接することで構成される吸込口、前記吸込口に隣接して設けられた吐出口、前記吸込口及び前記吐出口の間に設けられた隔壁、並びに、前記吸込口から前記吐出口まで前記インペラの回転方向に形成された環状流路を備えることを特徴とする請求項３に記載の渦流ポンプ。
【請求項５】
前記ポンプケーシングに設けられた係合部と、
前記ケーシングライナの前記ポンプケーシングの前記係合部と対向する位置に設けられ、前記係合部と係合することで、前記ケーシングライナの周方向の移動を規制する被係合部と、
を備えることを特徴とする請求項４に記載の渦流ポンプ。
【請求項６】
前記係合部は、径方向に延設された突起であり、
前記被係合部は、径方向に延設され、前記係合部と係合する突起であることを特徴とする請求項５に記載の渦流ポンプ。
【発明の詳細な説明】
【技術分野】
【０００１】
本発明は、ケーシング内にケーシングライナ及びインペラを設け、ケーシングカバーでケーシングを覆う渦流ポンプに関する。
【背景技術】
【０００２】
現在、少流量、且つ、高揚程で液体を供給可能なポンプとして、渦流ポンプが知られている（例えば、特許文献１参照）。この渦流ポンプは、外周縁に多数の溝を有する円板状のインペラと、ケーシングと、ケーシング内に固定され、インペラを収容する独立したケーシングライナと、ケーシング及びケーシングライナを覆うケーシングカバーと、を備えている。ケーシングには、吸込流路及び吐出流路が形成されており、それぞれ吸込管及び吐出管が接続されている。ケーシングライナ及びケーシングカバーには、環状流路と、環状流路の両端と吸込流路及び吐出流路とを接続する吸込口及び吐出口が形成されている。
【０００３】
高いポンプ性能を得るために、渦流ポンプは、環状流路が長い方が好ましい。このため、吸込口及び吐出口は、互いに隣接してケーシングライナ及びケーシングカバーに配置され、吸込口から吐出口に向かって３６０度の範囲に近づくように、換言すると、略環状となるような円弧状の環状流路が形成される。また、ケーシングライナ及びケーシングカバーには、それぞれ吸込口及び吐出口の間に隔壁が設けられる。ケーシングライナ及びケーシングカバーに設けられる隔壁は、互いに当接することで、一の隔壁を構成する。この隔壁により、環状流路の両端が遮られ、吸込口から吐出口に向かって環状流路を流れる水が、吐出口側から吸込口側に流れることを防止できる。
【先行技術文献】
【特許文献】
【０００４】
【特許文献１】特開平０６−２８０７７６号公報
【発明の概要】
【発明が解決しようとする課題】
【０００５】
上述した渦流ポンプは、ケーシング及びケーシングカバーの間を密封する方法として、ケーシング及びケーシングカバーに設けられたフランジ間をＯリングにより密封する技術が用いられている。しかし、渦流ポンプは、高揚程となることから、ケーシング及びケーシングカバー間に設けられるＯリングによりシールするため、ケーシング及びケーシングカバーのフランジを当接する必要がある。一方、組み立ての都合上、ケーシングカバー及びケーシングライナ上端の間には隙間が生じ、漏れが発生していた。
【０００６】
特に、ケーシングライナの隔壁及びケーシングカバーの隔壁の間に隙間が生じると、当該隙間により、環状流路の両端が連通する。このため、増圧された吐出口側（二次側）の液体が、吸込口側（一次側）に当該隙間を介して流れ、ポンプ性能が大幅に低下する、という問題がある。
【０００７】
また、独立したケーシングライナをケーシング内に挿入する構成の場合、ケーシング内でケーシングライナが回転する虞がある。例えば、ケーシング及びケーシングライナ間を接着剤により接着する技術も知られているが、接着剤の塗布工程が増加する。また、接着剤の乾燥工程も必要となる。結果、渦流ポンプの生産性が低下する、という問題もある。また、経年変化等により、接着剤が劣化すると、ケーシング及びケーシングライナ間の接着力が低下し、ケーシングライナがケーシング内を回転する虞もある。
【０００８】
そこで本発明は、ポンプ性能が低下することを防止可能であって、生産性の高い渦流ポンプを提供することを目的としている。
【課題を解決するための手段】
【０００９】
前記課題を解決し目的を達成するために、本発明の渦流ポンプは次のように構成されている。
【００１０】
本発明の一態様として、渦流ポンプは、有底円筒状に形成されたポンプケーシングと、前記ポンプケーシングの底部に一体に設けられたライナ部と、前記ポンプケーシングに挿入され、端面が前記ライナ部の上端と当接するカバー部及び前記カバー部の上端部に設けられ、前記ポンプケーシングに固定されるフランジ部を有する、前記ポンプケーシング及び前記ライナ部を覆うケーシングカバーと、前記ポンプケーシングの内周面と前記カバー部の外周面との間に設けられたシール部材と、前記ライナ部及び前記カバー部内に収納されるインペラと、を備え、前記カバー部の前記端面から前記フランジ部の前記ポンプケーシングと対向する端面までの長さが、前記ポンプケーシングの前記フランジ部が固定される端面から前記ライナ部の端面までの長さよりも長い。
【００１１】
本発明の一態様として、渦流ポンプは、有底円筒状に形成されたポンプケーシングと、前記ポンプケーシング内に設けられたケーシングライナと、前記ポンプケーシングに挿入され、端面が前記ケーシングライナの上端と当接するカバー部及び前記カバー部の上端部に設けられ、前記ポンプケーシングに固定されるフランジ部を有する、前記ポンプケーシング及び前記ケーシングライナを覆うケーシングカバーと、前記ポンプケーシングの内周面と前記カバー部の外周面との間に設けられたシール部材と、前記ケーシングライナ及び前記カバー部内に収納されるインペラと、を備え、前記カバー部の前記端面から前記フランジ部の前記ポンプケーシングと対向する端面までの長さが、前記ポンプケーシングの前記フランジ部が固定される端面から前記ケーシングライナの端面までの長さよりも長い。
【発明の効果】
【００１２】
本発明によれば、ポンプ性能が低下することを防止可能であって、生産性の高い渦流ポンプを提供することが可能となる。
【図面の簡単な説明】
【００１３】
【図１】本発明の第１の実施形態に係る渦流ポンプの構成を模式的に示す断面図。
【図２】同渦流ポンプに用いられるポンプカバーの構成を示す上面図。
【図３】同渦流ポンプの要部構成を断面で示す斜視図。
【図４】同渦流ポンプの要部構成を示す断面図。
【図５】同渦流ポンプに用いられるケーシングカバーの構成を示す下面図。
【図６】本発明の第２の実施形態に係る渦流ポンプの構成を模式的に示す断面図。
【図７】同渦流ポンプに用いられるポンプカバーの構成を示す上面図。
【図８】同渦流ポンプの要部構成を断面で示す斜視図。
【図９】同渦流ポンプの要部構成を示す断面図。
【図１０】同渦流ポンプに用いられるライナ部の構成を示す上面図。
【発明を実施するための形態】
【００１４】
（第１の実施形態）
以下、本発明の第１の実施形態に係る渦流ポンプ１の構成を、図１乃至図５を用いて説明する。  
図１は本発明の一実施形態に係る渦流ポンプ１の構成を模式的に示す断面図、図２は渦流ポンプ１に用いられるポンプケーシング３１の構成を示す上面図、図３は渦流ポンプ１に用いられるポンプケーシング３１のライナ部３２及びケーシングカバー３３の構成を一部断面で示す斜視図、図４はポンプケーシング３１及びケーシングカバー３３の構成を示す断面図、図５はケーシングカバー３３の構成を示す下面図である。
【００１５】
図１に示すように、渦流ポンプ１は、モータ１１と、モータ１１に接続されたポンプ１２と、を備えている。
【００１６】
モータ１１は、モータケーシング２１と、モータケーシング２１内に固定された固定子と、固定子内に設けられた回転子と、回転子に固定され、モータケーシング２１から突出する回転軸２２と、を備えている。固定子は、回転子を回転可能に形成されている。
【００１７】
ポンプ１２は、ポンプケーシング３１と、ポンプケーシング３１に固定されるケーシングカバー３３と、ポンプケーシング３１及びケーシングカバー３３内に設けられるインペラ３４と、を備えている。
【００１８】
図１及び図２に示すように、ポンプケーシング３１は、有底円筒状に形成されている。ポンプケーシング３１は、外周壁に、渦流ポンプ１の一次側に接続される吸込管が接続される吸込流路４１及び渦流ポンプ１の二次側に接続される吐出管が接続される吐出流路４２が形成されている。
【００１９】
また、ポンプケーシング３１は、その内部であって、且つ、その底部に一体に形成され、インペラ３４を収容するライナ部３２を有している。ポンプケーシング３１は、開口する端部にフランジ部４４を備えている。
【００２０】
吸込流路４１及び吐出流路４２は、隣接して配置される。吸込流路４１及び吐出流路４２は、ライナ部３２に連通する。フランジ部４４は、ケーシングカバー３３と当接しないように、その端面４４ａからライナ部３２の端面３２ａまでの長さが所定の長さで形成されている。また、フランジ部４４は、ボルト等の締結部材を挿通し、且つ、支持する座面４４ｂを複数有している。
【００２１】
図１乃至図４に示すように、ライナ部３２は、ポンプケーシング３１に一体に構成され、ポンプケーシング３１とともに有底円筒状に形成されている。ライナ部３２は、第１吸込口５１、第１吐出口５２、第１隔壁５３及び第１環状流路５４が形成されている。
【００２２】
ライナ部３２は、その内部にインペラ３４を配置可能であって、且つ、インペラ３４の外径よりも大径となる内径を有する。また、ライナ部３２は、その中心にインペラ３４の下端部を挿入する開口部５６を備えている。
【００２３】
第１吸込口５１は、ライナ部３２の、吸込流路４１と対向する位置に設けられる。第１吐出口５２は、ライナ部３２の、吐出流路４２と対向する位置に設けられる。第１吸込口５１及び第１吐出口５２は、第１隔壁５３を介して隣接して配置される。
【００２４】
第１隔壁５３は、ライナ部３２の内周面から突出して設けられる。第１隔壁５３は、第１吸込口５１及び第１吐出口５２の間に設けられる。第１隔壁５３は、その一部に、インペラ３４の外周縁の一部を配置可能な切欠部５３ａを備えている。切欠部５３ａは、インペラ３４の一部の外形状と略同一形状に形成されている。
【００２５】
第１環状流路５４は、第１吸込口５１からインペラ３４の回転方向の第１吐出口５２までの範囲の、インペラ３４の外周縁と対向するライナ部３２の底面が窪むことで構成される。
【００２６】
第１環状流路５４は、第１吸込口５１から第１吐出口５２までを連続する円弧状に形成されている。第１吸込口５１及び第１吐出口５２が第１隔壁５３を介して隣接して配置されることで、第１環状流路５４は、３６０度の範囲に近づく範囲で延設される。
【００２７】
ケーシングカバー３３は、モータ１１を固定可能に形成されている。ケーシングカバー３３は、ポンプケーシング３１を覆うことで、ポンプケーシング３１を密封可能、且つ、ライナ部３２とともにインペラ３４を収容する空間を構成可能に形成されている。具体的には、ケーシングカバー３３は、ポンプケーシング３１に挿入され、ライナ部３２を覆うカバー部６１と、カバー部６１の上端部に設けられたフランジ部６２と、カバー部６１の外周面に設けられたシール溝６３と、カバー部６１の中心に設けられ、中央に開口部６４ａを有するシール室６４と、シール溝６３に設けられる第１シール部材６５と、シール室６４に設けられる第２シール部材６６と、を備えている。
【００２８】
カバー部６１は、円筒状に形成されている。カバー部６１は、第２吸込口７１、第２吐出口７２、第２隔壁７３及び第２環状流路７４を備えている。カバー部６１は、その端面がライナ部３２の端面３２ａと当接可能に形成されている。
【００２９】
カバー部６１は、カバー部６１の端面からフランジ部６２の、ポンプケーシング３１のフランジ部４４の端面４４ａと対向する端面６２ａまでの長さが、ポンプケーシング３１のフランジ部４４の端面４４ａからライナ部３２の端面３２ａまでの長さよりも長く形成されている。
【００３０】
カバー部６１は、ポンプケーシング３１に挿入可能に、ポンプケーシング３１の内径と略同一の外径を有して形成される。換言すると、カバー部６１は、その外周面がポンプケーシング３１の内周面と所定の間隙を有して対向可能な外径を有している。
【００３１】
第２吸込口７１は、ポンプケーシング３１の吸込流路４１及びライナ部３２の第１吸込口５１と対向する位置に設けられる。第２吸込口７１は、第１吸込口５１とともに、吸込流路４１と流体的に接続される一の吸込口８１を構成する。
【００３２】
第２吐出口７２は、ポンプケーシング３１の吐出流路４２及びライナ部３２の第１吐出口５２と対向する位置に設けられる。第２吐出口７２は、第１吐出口５２とともに、吐出流路４２と流体的に接続される一の吐出口８２を構成する。
【００３３】
第２吸込口７１及び第２吐出口７２は、第２隔壁７３を介して隣接してカバー部６１の外周壁に配置される。
【００３４】
第２隔壁７３は、第１隔壁５３と対向する位置に設けられる。第２隔壁７３は、第１隔壁５３と組み合わさることで、一の隔壁８３を構成する。この隔壁８３は、第１隔壁５３の切欠部５３ａ及び第２隔壁７３の端面によって、インペラ３４の外周縁と略同一の、換言すると、インペラ３４の外周縁の外面と微小な隙間を形成する切欠部８３ａを形成する。ここで、切欠部８３ａの内面とインペラ３４の外周縁の外面との間に形成される微小な隙間は、隔壁８３とインペラ３４とが干渉しない幅であれば狭い程好ましい。
【００３５】
第２環状流路７４は、第２吸込口７１からインペラ３４の回転方向の第２吐出口７２までの範囲の、第１環状流路５４と対向するカバー部６１の端面が窪むことで形成される。第２環状流路７４は、第１環状流路５４とともに、吸込口８１から吐出口８２に渡って延設される一の環状流路８４を形成する。
【００３６】
フランジ部６２は、カバー部６１の上端部の外周面に設けられる。フランジ部６２は、ポンプケーシング３１のフランジ部４４と相対し、微小隙間を有するように形成されている。また、フランジ部６２は、ボルト等の締結部材を挿通し、且つ、支持する座面６２ｂを複数有している。フランジ部６２は、締結部材によってポンプケーシング３１のフランジ部４４と固定される。
【００３７】
シール溝６３は、ポンプケーシング３１の円筒状の内周面、より具体的にはポンプケーシング３１のライナ部３２の端面から突出する部位の内周面と対向するカバー部６１の外周面であって、フランジ部６２に隣接して設けられた環状の溝である。シール溝６３は、第１シール部材６５を配置可能に形成されている。
【００３８】
シール室６４は、ケーシングカバー３３の上面、且つ、中心に設けられた有底円筒状の突起である。シール室６４は、その中心に開口部６４ａを有する。シール室６４は、その開口部６４ａに回転軸２２を挿通可能、且つ、回転軸２２の外周面とシール室６４の内周面の間に第２シール部材６６を配置可能に形成されている。
【００３９】
第１シール部材６５は、例えば、Ｏリングである。第１シール部材６５は、ポンプケーシング３１の内周面及びカバー部６１の外周面の間を密封する。
【００４０】
第２シール部材６６は、例えば、メカニカルシールである。第２シール部材６６は、回転軸２２及びシール室６４の間を密封する。
【００４１】
図１に示すように、インペラ３４は、円板状に形成された基部９１と、基部９１の外周面の両面にそれぞれ設けられた複数の溝部９２と、基部９１の両面の中心にそれぞれ設けられたボス部９３と、基部９１及び一対のボス部９３の中心に設けられた貫通孔９４と、を備えている。
【００４２】
溝部９２は、基部９１の中心側から外周縁側に向かって漸次深さが深くなるように形成されている。複数の溝部９２は、隣り合う溝部９２と所定の距離を置いて基部９１に形成されることで、隣り合う溝部９２間が仕切られる。換言すると、複数の溝部９２は、複数の羽根を形成する。
【００４３】
ボス部９３は、ライナ部３２の開口部５６及びカバー部６１の開口に挿入される。貫通孔９４は、例えば、その内周面にキー溝が形成され、キー溝に嵌合するキーによって回転軸２２に固定される。
【００４４】
このように構成された渦流ポンプ１によれば、第１シール部材６５は、カバー部６１の外周面に設けられることから、ポンプケーシング３１、ライナ部３２及びケーシングカバー３３の軸方向には、他の部材が介在することがない。即ち、ポンプケーシング３１及びケーシングカバー３３は、ライナ部３２及びカバー部６１の互いに対向する面が当接する。より具体的には、ポンプケーシング３１及びケーシングカバー３３を組み立てたときに、フランジ部４４、６２が当接する前に、換言すると、フランジ部４４、６２が当接することなく、ポンプケーシング３１のライナ部３２の端面及びケーシングカバー３３のカバー部６１の端面同士が先に当接する構成である。
【００４５】
結果、ポンプケーシング３１に対して、ライナ部３２及びケーシングカバー３３の軸方向の位置が、所定の位置に配置され、第１隔壁５３及び第２隔壁７３の間に隙間が発生することが防止できる。また、隔壁８３とインペラ３４との間の間隙が所定の間隙となる。
【００４６】
これらのことにより、吐出口８２側から隔壁８３を介して吸込口８１側に漏洩する液体は、隔壁８３の切欠部８３ａとインペラ３４の外面との隙間からのみとなる。このため、渦流ポンプ１は、ポンプ効率の向上が可能となり、ポンプ性能の安定化が可能となる。
【００４７】
また、ポンプケーシング３１は、一体にライナ部３２が形成されており、且つ、ライナ部３２の端面にケーシングカバー３３の端面を当接した状態で、ケーシングカバー３３に固定される。このため、軸方向の位置合わせがライナ部３２及びケーシングカバー３３の当接だけで良く、組み立て作業性がよく、結果、高い生産性を有する。
【００４８】
上述したように第１の実施形態に係る渦流ポンプ１によれば、高いポンプ効率を有するとともに、高い生産性を有することとなる。
【００４９】
（第２の実施形態）
以下、本発明の第２の実施形態に係る渦流ポンプ１Ａの構成を、図６乃至図１０を用いて説明する。  
図６は本発明の第２の実施形態に係る渦流ポンプ１Ａの構成を模式的に示す断面図、図７は渦流ポンプ１Ａに用いられるポンプケーシング３１Ａの構成を示す上面図、図８は渦流ポンプ１Ａに用いられるケーシングライナ３２Ａ及びケーシングカバー３３の構成を一部断面で示す斜視図、図９はケーシングライナ３２Ａ及びケーシングカバー３３の構成を示す断面図、図１０はケーシングライナ３２Ａの構成を示す上面図である。なお、第２の実施形態に係る渦流ポンプ１Ａにおいて、上述した第１の実施形態に係る渦流ポンプ１と同様の構成には同一符号を付し、その詳細な説明は省略する。
【００５０】
図６に示すように、渦流ポンプ１Ａは、モータ１１と、モータ１１に接続されたポンプ１２Ａと、を備えている。
【００５１】
ポンプ１２Ａは、ポンプケーシング３１Ａと、ポンプケーシング３１Ａの底部に一体に固定され、ポンプケーシング３１Ａと独立して設けられたケーシングライナ３２Ａと、ポンプケーシング３１Ａに固定されるケーシングカバー３３と、ケーシングライナ３２Ａ及びケーシングカバー３３内に設けられるインペラ３４と、を備えている。
【００５２】
図６及び図７に示すように、ポンプケーシング３１Ａは、有底円筒状に形成されている。ポンプケーシング３１Ａは、外周壁に、渦流ポンプ１の一次側に接続される吸込管が接続される吸込流路４１及び渦流ポンプ１の二次側に接続される吐出管が接続される吐出流路４２が形成されている。ポンプケーシング３１Ａは、その底部に独立したケーシングライナ３２Ａを挿入可能な内径を有し、ケーシングライナ３２Ａと対向する底面に係合部４３を備えている。ポンプケーシング３１Ａは、開口する端部にフランジ部４４を備えている。
【００５３】
吸込流路４１及び吐出流路４２は、少なくともポンプケーシング３１Ａの内周面の開口が隣接して配置される。係合部４３は、例えば、放射状に延びる突起である。フランジ部４４は、ケーシングカバー３３と当接しないように形成されている。また、フランジ部４４は、座面４４ｂを複数有している。
【００５４】
図６、図８乃至図１０に示すように、ケーシングライナ３２Ａは、有底円筒状に形成されている。ケーシングライナ３２Ａは、第１吸込口５１、第１吐出口５２、第１隔壁５３及び第１環状流路５４が形成されている。ケーシングライナ３２Ａは、その底面であって、且つ、ポンプケーシング３１Ａの係合部４３と対向する位置に、係合部４３と係合する被係合部５５を備えている。
【００５５】
ケーシングライナ３２Ａは、その内部にインペラ３４を配置可能であって、且つ、インペラ３４の外径よりも大径となる内径を有する。ケーシングライナ３２Ａは、その外径が、ポンプケーシング３１の内径と略同一径に形成されている。また、ケーシングライナ３２Ａは、その中心にインペラ３４の下端部を挿入する開口部５６を備えている。
【００５６】
第１吸込口５１は、ポンプケーシング３１Ａの吸込流路４１と対向する位置に設けられる。第１吐出口５２は、ポンプケーシング３１Ａの吐出流路４２と対向する位置に設けられる。第１吸込口５１及び第１吐出口５２は、第１隔壁５３を介して隣接してケーシングライナ３２Ａの外周壁に配置される。
【００５７】
第１隔壁５３は、ケーシングライナ３２Ａの内周面から突出して設けられる。第１隔壁５３は、第１吸込口５１及び第１吐出口５２の間に設けられる。第１隔壁５３は、その一部に、インペラ３４の外周縁の一部を配置可能な切欠部５３ａを備えている。切欠部５３ａは、インペラ３４の一部の外形状と略同一形状に形成されている。
【００５８】
第１環状流路５４は、第１吸込口５１からインペラ３４の回転方向の第１吐出口５２までの範囲の、インペラ３４の外周縁と対向するケーシングライナ３２Ａの底面が窪むことで構成される。
【００５９】
第１環状流路５４は、第１吸込口５１から第１吐出口５２までを連続する円弧状に形成されている。第１吸込口５１及び第１吐出口５２が第１隔壁５３を介して隣接して配置されることで、第１環状流路５４は、３６０度の範囲に近づく範囲で延設される。
【００６０】
被係合部５５は、例えば、互いに対向する間隙に係合部４３を挿入可能な一対の突起である。
【００６１】
ケーシングカバー３３は、モータ１１を固定可能に形成されている。ケーシングカバー３３は、ポンプケーシング３１Ａ及びケーシングライナ３２Ａを覆うことで、ポンプケーシング３１を密封可能、且つ、ライナ部３２とともにインペラ３４を収容する空間を構成可能に形成されている。具体的には、ケーシングカバー３３は、ポンプケーシング３１Ａに挿入され、ケーシングライナ３２Ａを覆うカバー部６１と、カバー部６１の上端部に設けられたフランジ部６２と、カバー部６１の外周面に設けられたシール溝６３と、カバー部６１の中心に設けられ、中央に開口部６４ａを有するシール室６４と、シール溝６３に設けられる第１シール部材６５と、シール室６４に設けられる第２シール部材６６と、を備えている。
【００６２】
このように構成された渦流ポンプ１Ａによれば、上述した第１の実施形態に係る渦流ポンプ１と同様に、高いポンプ効率を有するとともに、高い生産性を有することとなる。
【００６３】
また、渦流ポンプ１Ａは、ケーシングライナ３２Ａがポンプケーシング３１Ａに挿入される構成である。ケーシングライナ３２は、その被係合部５５とポンプケーシング３１の係合部４３が係合するように位置合わせがなされ、ケーシングライナ３２がポンプケーシング３１に挿入される。
【００６４】
また、ケーシングカバー３３は、ポンプケーシング３１に締結部材を介して固定される。このとき、カバー部６１の端部はケーシングライナ３２の端部と当接し、ケーシングライナ３２を軸方向に押圧する。これらのように、ケーシングライナ３２は、係合部４３及び被係合部５５によって周方向に、そして、ポンプケーシング３１の底面及びカバー部６１によって軸方向に、それぞれ移動が規制され、ポンプケーシング３１内に固定される。これにより、ポンプケーシング３１内をケーシングライナ３２が回転すること、及び、ポンプケーシング３１内でケーシングライナ３２が軸方向に移動すること、を防止できる。
【００６５】
即ち、ケーシングライナ３２をポンプケーシング３１に接着剤を介して固定する必要がない。このため、接着剤を塗布する工程、ポンプケーシング３１及びケーシングライナ３２を圧縮固定する工程、並びに、接着剤を乾燥させる工程を必要とせず、渦流ポンプ１の製造工程を低減することが可能となる。これにより、渦流ポンプ１の生産性を向上することが可能となる。
【００６６】
なお、本発明は前記実施形態に限定されるものではない。上述した例においては、係合部４３及び被係合部５５は、径方向に延設された突起からなる構成を説明したがこれに限定されず、係合部４３及び被係合部５５は、一方にピンを設け、他方にピンが挿入される孔部を有する構成であってもよい。
【００６７】
また、上述した例では、渦流ポンプ１Ａは、接着剤を用いない構成を説明したが、ケーシングライナ３２Ａをポンプケーシング３１Ａに接着する構成であってもよい。ポンプケーシング３１Ａにケーシングライナ３２Ａを接着剤により固定する構成であっても、第１シール部材６５をカバー部６１の外周面に設ける構成とすることで、軸方向において、確実にケーシングライナ３２Ａの第１隔壁５３とカバー部６１の第２隔壁７３を当接させることが可能となる。これにより、上記第１の実施形態に係る渦流ポンプ１及び第２の実施形態に係る渦流ポンプ１Ａと同様に、隔壁８３に隙間が発生することを防止できる。但し、上述したように、接着剤を用いる構成とすると、生産性が悪くなることから、係合部４３及び被係合部５５によりケーシングライナ３２Ａの周方向の回転を規制する構成が好ましい。この他、本発明の要旨を逸脱しない範囲で種々変形実施可能である。
以下に、本願出願の当初の特許請求の範囲に記載された発明を付記する。
［１］  有底円筒状に形成されたポンプケーシングと、
前記ポンプケーシングの底部に一体に設けられたライナ部と、
前記ポンプケーシングに挿入され、前記ライナ部の上端と当接するカバー部を有する、前記ポンプケーシング及び前記ライナ部を覆うケーシングカバーと、
前記ポンプケーシングの内周面と前記カバー部の外周面との間に設けられたシール部材と、
前記ライナ部及び前記カバー部内に収納されるインペラと、
を備えることを特徴とする渦流ポンプ。
［２］  前記ライナ部及び前記カバー部は、互いに当接することで構成される吸込口、前記吸込口に隣接して設けられた吐出口、前記吸込口及び前記吐出口の間に設けられた隔壁、並びに、前記吸込口から前記吐出口まで前記インペラの回転方向に形成された環状流路を備えることを特徴とする［１］に記載の渦流ポンプ。
［３］  有底円筒状に形成されたポンプケーシングと、
前記ポンプケーシング内に設けられたケーシングライナと、
前記ポンプケーシングに挿入され、前記ケーシングライナの上端と当接するカバー部を有する、前記ポンプケーシング及び前記ケーシングライナを覆うケーシングカバーと、
前記ポンプケーシングの内周面と前記カバー部の外周面との間に設けられたシール部材と、
前記ケーシングライナ及び前記カバー部内に収納されるインペラと、
を備えることを特徴とする渦流ポンプ。
［４］  前記ケーシングライナ及び前記カバー部は、互いに当接することで構成される吸込口、前記吸込口に隣接して設けられた吐出口、前記吸込口及び前記吐出口の間に設けられた隔壁、並びに、前記吸込口から前記吐出口まで前記インペラの回転方向に形成された環状流路を備えることを特徴とする［３］に記載の渦流ポンプ。
［５］  前記ポンプケーシングに設けられた係合部と、
前記ケーシングライナの前記ポンプケーシングの前記係合部と対向する位置に設けられ、前記係合部と係合することで、前記ケーシングライナの周方向の移動を規制する被係合部と、
を備えることを特徴とする［４］に記載の渦流ポンプ。
［６］  前記係合部は、径方向に延設された突起であり、
前記被係合部は、径方向に延設され、前記係合部と係合する突起であることを特徴とする［５］に記載の渦流ポンプ。
【符号の説明】
【００６８】
１、１Ａ…渦流ポンプ、１１…モータ、１２…ポンプ、２１…モータケーシング、２２…回転軸、３１、３１Ａ…ポンプケーシング、３２、３２Ａ…ケーシングライナ、３３…ケーシングカバー、３４…インペラ、４１…吸込流路、４２…吐出流路、４３…係合部、４４…フランジ部、４４ａ…座面、５１…第１吸込口、５２…第１吐出口、５３…第１隔壁、５３ａ…切欠部、５４…第１環状流路、５５…被係合部、５６…開口部、６１…カバー部、６２…フランジ部、６２ａ…座面、６３…シール溝、６４…シール室、６４ａ…開口部、６５…第１シール部材、６６…第２シール部材、７１…第２吸込口、７２…第２吐出口、７３…第２隔壁、７４…第２環状流路、８１…吸込口、８２…吐出口、８３…隔壁、８３ａ…切欠部、８４…環状流路、９１…基部、９２…溝部、９３…ボス部、９４…貫通孔。
【図１】
0006622988.tif 000002
【図２】
0006622988.tif 000003
【図３】
0006622988.tif 000004
【図４】
0006622988.tif 000005
【図５】
0006622988.tif 000006
【図６】
0006622988.tif 000007
【図７】
0006622988.tif 000008
【図８】
0006622988.tif 000009
【図９】
0006622988.tif 000010
【図１０】
0006622988.tif 000011